(57)【要約】【課題】第１の無線通信装置からの電波を電力源とする第２の無線通信装置に使用する場合には、第１の無線通信装置が第２の無線通信装置の受信電力強度を定量的に観測することができる集積回路装置を提供する。【解決手段】ＲＦＩＤリーダ／ライタ１は受信電力強度確認コマンドを送信する。ＲＦＩＤタグ２５は、受信電力強度確認コマンドを受信したときは、ＮＭＯＳトランジスタ１５をＯＮとし、キャパシタ１６を充電する。この結果、電源電圧ＶＤＤが低下し、これにより、アンテナ８の両端間電圧Ｖ８が低下する。カウンタ２８は、アンテナ８の両端間電圧Ｖ８の低下に対応して復調回路１３が出力する復調信号のＬレベル幅をカウントし、カウント値（受信電力強度情報）を返信信号としてＲＦＩＤリーダ／ライタ１に送信する。【選択図】図４
2010026756.tif 000002
【特許請求の範囲】
【請求項１】
アンテナが接続される整流回路と、
前記整流回路の第１及び第２の出力端子間に直列接続されたスイッチ素子及びキャパシタと、
所定コマンドを受信した場合に、前記スイッチ素子を導通とする信号処理回路と、
を有することを特徴とする集積回路装置。
【請求項２】
アンテナが接続される整流回路と、
前記整流回路の第１及び第２の出力端子間に直列接続されたスイッチ素子及びキャパシタと、
受信信号を復調する復調回路と、
所定コマンドを受信した場合に、前記スイッチ素子を導通とし、前記スイッチ素子を導通とすることにより発生する前記アンテナの両端間電圧の変動に対応して前記復調回路が出力する復調信号の信号幅を測定し、測定値を返信信号として出力する信号処理回路と、
を有することを特徴とする集積回路装置。
【請求項３】
アンテナが接続される整流回路と、
前記整流回路の第１及び第２の出力端子間に直列接続されたスイッチ素子及びキャパシタと、
受信信号を復調する復調回路と、
記憶手段と、
第１コマンドを受信した場合に、前記スイッチ素子を導通とし、前記スイッチ素子を導通とすることにより発生する前記アンテナの両端間電圧の変動に対応して前記復調回路が出力する復調信号の信号幅を測定し、測定値を前記記憶手段に記憶し、第２コマンドを受信した場合に、前記記憶手段に記憶した前記測定値を返信信号として出力する信号処理回路と、
を有することを特徴とする集積回路装置。
【請求項４】
アンテナと、
前記整流回路の第１及び第２の入力端子をそれぞれ前記アンテナの第１及び第２の端部に接続した請求項１、２又は３に記載の集積回路装置と、
を有することを特徴とする無線通信装置。
【発明の詳細な説明】
【技術分野】
【０００１】
本発明は、無線通信装置、及び、無線通信装置を構成する集積回路装置に関する。
【背景技術】
【０００２】
無線通信システムの一種として、ＲＦＩＤ（Radio Frequency Identification）リーダ／ライタとＲＦＩＤタグとを使用するＲＦＩＤシステムがある。ＲＦＩＤタグには、電池を内蔵したアクティブ型のＲＦＩＤタグと、電池を内蔵せず、ＲＦＩＤリーダ／ライタからの電波を電力源とするパッシブ型のＲＦＩＤタグがある。
【０００３】
パッシブ型のＲＦＩＤタグの場合、ＲＦＩＤタグとＲＦＩＤリーダ／ライタとの距離やアンテナの角度などによって、ＲＦＩＤリーダ／ライタから供給される電力は異なる。また、ＲＦＩＤタグの消費電力は内部動作によって異なる。例えば、ＲＦＩＤタグ内の不揮発性メモリへの書込み動作を行う場合は、ＲＦＩＤタグ内の内部ロジックのみを動作させる場合と比較して消費電力が大きくなる。したがって、パッシブ型のＲＦＩＤタグの場合、その内部動作によって通信距離が変化するという事態が発生する。
【特許文献１】特開２００６−１６６４１５号公報
【特許文献２】特開２００７−６４７６５号公報
【特許文献３】特開２００４−２０６４０９号公報
【特許文献４】特開２００５−３３１４３４号公報
【発明の開示】
【発明が解決しようとする課題】
【０００４】
本発明は、かかる点に鑑み、第１の無線通信装置からの電波を電力源とする第２の無線通信装置に使用する場合には、第１の無線通信装置が第２の無線通信装置の受信電力強度を定量的に観測することができるようにし、受信可能な距離やアンテナ角度などの調整を容易に行うことができるようにした集積回路装置、及び、このような集積回路装置を使用した無線通信装置を提供することを目的とする。
【課題を解決するための手段】
【０００５】
ここで開示する第１の集積回路装置は、整流回路と、スイッチ素子及びキャパシタと、信号処理回路とを有するものである。前記整流回路は、アンテナが接続されるものである。前記スイッチ素子及び前記キャパシタは、前記整流回路の第１及び第２の出力端子間に直列接続されたものである。前記信号処理回路は、所定コマンドを受信した場合に、前記スイッチ素子を導通とするものである。
【０００６】
ここで開示する第２の集積回路装置は、整流回路と、スイッチ素子及びキャパシタと、復調回路と、信号処理回路とを有するものである。前記整流回路は、アンテナが接続されるものである。前記スイッチ素子及び前記キャパシタは、前記整流回路の第１及び第２の出力端子間に直列接続されたものである。前記復調回路は、受信信号を復調するものである。前記信号処理回路は、所定コマンドを受信した場合に、前記スイッチ素子を導通とし、前記スイッチ素子を導通とすることにより発生する前記アンテナの両端間電圧の変動に対応して前記復調回路が出力する復調信号の信号幅を測定し、測定値を返信信号として出力するものである。
【０００７】
ここで開示する第３の集積回路装置は、整流回路と、スイッチ素子及びキャパシタと、復調回路と、記憶手段と、信号処理回路とを有するものである。前記整流回路は、アンテナが接続されるものである。前記スイッチ素子及び前記キャパシタは、前記整流回路の第１及び第２の出力端子間に直列接続されたものである。前記復調回路は、受信信号を復調するものである。前記信号処理回路は、第１コマンドを受信した場合に、前記スイッチ素子を導通とし、前記スイッチ素子を導通とすることにより発生する前記アンテナの両端間電圧の変動に対応して前記復調回路が出力する復調信号の信号幅を測定し、測定値を前記記憶手段に記憶し、第２コマンドを受信した場合に、前記記憶手段に記憶した前記測定値を返信信号として出力するものである。
【０００８】
ここで開示する無線通信装置は、アンテナと、前記整流回路の第１及び第２の入力端子をそれぞれ前記アンテナの第１及び第２の端部に接続した前記第１、第２又は第３の集積回路装置とを有するものである。
【発明の効果】
【０００９】
開示した第１の集積回路装置は、第１の無線通信装置からの電波を電力源とする第２の無線通信装置に使用される。第２の無線通信装置においては、前記信号処理回路は、所定コマンドを受信したときは、前記スイッチ素子を導通とする。この結果、前記整流回路の前記第１、第２の出力端子間電圧に変動が生じ、これにより、第２の無線通信装置のアンテナの両端間電圧に変動が生じる。
【００１０】
第１の無線通信装置は、この第２の無線通信装置のアンテナの両端間電圧の変動を第２の無線通信装置の負荷変調波形として観測することができるので、第１の無線通信装置は、第２の無線通信装置の受信電力強度を定量的に観測することができる。したがって、受信可能な距離やアンテナ角度などの調整を容易に行うことができる。
【００１１】
開示した第２の集積回路装置は、第１の無線通信装置からの電波を電力源とする第２の無線通信装置に使用される。第２の無線通信装置においては、前記信号処理回路は、所定コマンドを受信したときは、前記スイッチ素子を導通とする。この結果、前記整流回路の前記第１、第２の出力端子間電圧に変動が生じ、これにより、第２の無線通信装置のアンテナの両端間電圧に変動が生じる。
【００１２】
前記信号処理回路は、この第２の無線通信装置のアンテナの両端間電圧の変動に対応して前記復調回路が出力する復調信号の信号幅を測定し、測定値を返信信号として出力する。この結果、第２の無線通信装置は、前記測定値を第１の無線通信装置に送信することができ、第１の無線通信装置は、第２の無線通信装置の受信電力強度を定量的に観測することができる。したがって、受信可能な距離やアンテナ角度などの調整を容易に行うことができる。
【００１３】
開示した第３の集積回路装置は、第１の無線通信装置からの電波を電力源とする第２の無線通信装置に使用される。第２の無線通信装置においては、前記信号処理回路は、第１コマンドを受信したときは、前記スイッチ素子を導通とする。この結果、前記整流回路の前記第１、第２の出力端子間電圧に変動が生じ、これにより、第２の無線通信装置のアンテナの両端間電圧に変動が生じる。
【００１４】
前記信号処理回路は、この第２の無線通信装置のアンテナの両端間電圧の変動に対応して前記復調回路が出力する復調信号の信号幅を測定し、測定値を前記記憶手段に記憶し、第２コマンドを受信したときは、前記記憶手段に記憶した前記測定値を返信信号として出力する。この結果、第２の無線通信装置は、前記測定値を第１の無線通信装置に送信することができ、第１の無線通信装置は、第２の無線通信装置の受信電力強度を定量的に観測することができる。したがって、受信可能な距離やアンテナ角度などの調整を容易に行うことができる。
【００１５】
開示した無線通信装置は、前記第１、第２又は第３の集積回路装置を有するので、開示した無線通信装置に対して電波により電力を供給する無線通信装置は、開示した無線通信装置の受信電力強度を定量的に観測することができる。したがって、受信可能な距離やアンテナ角度などの調整を容易に行うことができる。
【発明を実施するための最良の形態】
【００１６】
（第１実施形態）
図１は本発明の無線通信装置の第１実施形態を使用したＲＦＩＤシステムの構成図である。図１中、１は第１の無線通信装置であるＲＦＩＤリーダ／ライタ、２は第２の無線通信装置であるＲＦＩＤタグである。ＲＦＩＤタグ２は、本発明の無線通信装置の第１実施形態である。
【００１７】
ＲＦＩＤリーダ／ライタ１は、アンテナ３と、信号処理回路４と、発振回路５と、変調回路６と、復調回路７を有している。信号処理回路４は、ＲＦＩＤタグ２に伝送すべき信号の変調回路６への伝送や、復調回路７から与えられる復調信号の処理などを行うものである。発振回路５は、キャリア信号を発生するものである。
【００１８】
変調回路６は、発振回路５から与えられるキャリア信号を、信号処理回路４から与えられる信号で２値ＡＳＫ（Amplitude shift keying）変調し、２値ＡＳＫ被変調信号をアンテナ３に与えるものである。復調回路７は、アンテナ３で受信したＲＦＩＤタグ２からの被変調信号を復調するものである。
【００１９】
ＲＦＩＤタグ２は、アンテナ８と、本発明の集積回路装置の第１実施形態であるタグＩＣ９を有している。タグＩＣ９は、整流回路１０と、キャパシタ１１と、シャントレギュレータ１２と、復調回路１３と、クロック抽出回路１４と、ＮＭＯＳトランジスタ１５と、キャパシタ１６と、メモリ１７と、信号処理回路１８と、変調回路１９を有している。
【００２０】
整流回路１０は、アンテナ８の端部８Ａ、８Ｂをそれぞれ入力端子１０Ａ、１０Ｂに接続し、アンテナ８が受信したＲＦＩＤリーダ／ライタ１からの２値ＡＳＫ被変調信号を整流し、出力端子１０Ｃ、１０Ｄにそれぞれ電源電圧ＶＤＤ、ＶＳＳを出力するものである。電源電圧ＶＤＤは、電源電圧ＶＳＳを基準にして正の電圧である。
【００２１】
キャパシタ１１は電源電圧ＶＤＤに充電されるものである。シャントレギュレータ１２は、電源電圧ＶＤＤを監視し、電源電圧ＶＤＤを一定に保つための制御を行うものである。復調回路１３は、アンテナ８が受信したＲＦＩＤリーダ／ライタ１からの２値ＡＳＫ被変調信号を復調するものである。クロック抽出回路１４は、アンテナ８が受信したＲＦＩＤリーダ／ライタ１からの２値ＡＳＫ被変調信号からクロックを抽出するものである。
【００２２】
ＮＭＯＳトランジスタ１５は、スイッチ素子をなすものであり、信号処理回路１８から与えられる制御信号ＣＬによりＯＮ、ＯＦＦが制御される。ＮＭＯＳトランジスタ１５及びキャパシタ１６は、整流回路１０の出力端子１０Ｃ、１０Ｄ間に直列接続されている。メモリ１７は、書き込み可能な不揮発性メモリである。
【００２３】
信号処理回路１８は、復調回路１３が出力する復調信号とクロック抽出回路１４が抽出したクロックとを入力して種々の信号処理を行うものである。変調回路１９は、信号処理回路１８から与えられる信号を変調し、被変調信号をアンテナ８に供給するものである。
【００２４】
また、信号処理回路１８において、２０は復調回路１３が出力する復調信号を受信する受信バッファ、２１は受信バッファ２０が受信した復調信号中のコマンドをデコードするコマンドデコーダ、２２はＮＭＯＳトランジスタ１５のＯＮ、ＯＦＦを制御する制御信号ＣＬを出力するコントローラである。
【００２５】
コントローラ２２は、コマンドデコーダ２１が受信強度確認コマンドをデコードしたときは、制御信号ＣＬを一定期間Ｈ（高）レベルとし、ＮＭＯＳトランジスタ１５をＯＮとし、それ以外のときは、制御信号ＣＬをＬ（低）レベルとし、ＮＭＯＳトランジスタ１５をＯＦＦとする。
【００２６】
図２はＲＦＩＤリーダ／ライタ１がＲＦＩＤタグ２の受信電力強度情報を得る場合の動作を示すフローチャートである。ＲＦＩＤリーダ／ライタ１がＲＦＩＤタグ２の受信電力強度情報を得るときは、まず、ＲＦＩＤリーダ／ライタ１がＲＦＩＤタグ２に対して受信電力強度確認コマンドを送信する（ステップＳ２−１）。
【００２７】
ＲＦＩＤタグ２がＲＦＩＤリーダ／ライタ１からの受信電力強度確認コマンドを受信すると（ステップＳ２−２）、信号処理回路１８内のコントローラ２２が制御信号ＣＬをＬレベルからＨレベルに変化させる（ステップＳ２−３）。この結果、ＮＭＯＳトランジスタ１５がＯＮとなり、電源電圧ＶＤＤによるキャパシタ１６の充電が開始され、電源電圧ＶＤＤが低下し（ステップＳ２−４）、これにより、アンテナ８の両端間電圧Ｖ８が低下する（ステップＳ２−５）。
【００２８】
ここに、ＲＦＩＤリーダ／ライタ１は、ＲＦＩＤタグ２のアンテナ８の両端間電圧Ｖ８の低下を負荷変調波形として観測することができ、ＲＦＩＤタグ２の受信電力強度を定量的に観測することができる（ステップＳ２−６）。この場合、アンテナ８の両端間電圧Ｖ８の負荷変調波形が受信電力強度情報となる。
【００２９】
図３はＲＦＩＤタグ２の動作を示す波形図であり、ＲＦＩＤタグ２が受信電力強度確認コマンドを受信し、制御信号ＣＬがＬレベルからＨレベルに変化し、ＮＭＯＳトランジスタ１５がＯＮとなり、キャパシタ１６の充電が開始され、電源電圧ＶＤＤが低下し、これにより、アンテナ８の両端間電圧Ｖ８が低下する様子を示している。
【００３０】
以上のように、本発明の集積回路装置の第１実施形態であるタグＩＣ９を使用した本発明の無線通信装置の第１実施形態であるＲＦＩＤタグ２においては、信号処理回路１８は、受信電力強度確認コマンドを受信したときは、ＮＭＯＳトランジスタ１５を一定期間ＯＮとする。この結果、電源電圧ＶＤＤが低下し、これにより、アンテナ８の両端間電圧Ｖ８が低下する。
【００３１】
ＲＦＩＤリーダ／ライタ１は、このＲＦＩＤタグ２のアンテナ８の両端間電圧Ｖ８の変動をＲＦＩＤタグ２の負荷変調波形として観測することができるので、ＲＦＩＤリーダ／ライタ１は、ＲＦＩＤタグ２の受信電力を定量的に観測することができる。したがって、受信可能な距離やアンテナ角度などの調整を容易に行うことができる。
【００３２】
（第２実施形態）
図４は本発明の無線通信装置の第２実施形態を使用したＲＦＩＤシステムの構成図である。図４に示すＲＦＩＤシステムは、図１に示すＲＦＩＤタグ２とは構成の異なるＲＦＩＤタグ２５を使用し、その他については、図１に示すＲＦＩＤシステムと同様に構成したものである。ＲＦＩＤタグ２５は、本発明の無線通信装置の第２実施形態である。
【００３３】
ＲＦＩＤタグ２５は、図１に示すＲＦＩＤタグ２が搭載するタグＩＣ９と構成の異なるタグＩＣ２６を搭載し、その他については、図１に示すＲＦＩＤタグ２と同様に構成したものである。タグＩＣ２６は、本発明の集積回路装置の第２実施形態である。
【００３４】
タグＩＣ２６は、図１に示すタグＩＣ９が搭載する信号処理回路１８と構成の異なる信号処理回路２７を搭載し、その他については、図１に示すタグＩＣ９と同様に構成したものである。
【００３５】
信号処理回路２７は、図１に示す信号処理回路１８にカウンタ２８を追加し、その他については、図１に示す信号処理回路１８と同様に構成したものである。カウンタ２８は、電源電圧ＶＤＤの変動に対応して発生するアンテナ８の両端間電圧Ｖ８の変動に対応して復調回路１３が出力する復調信号のＬレベル幅をカウントし、このカウント値を返信信号（受信電力強度情報）として変調回路１９に出力するものである。
【００３６】
図５はＲＦＩＤリーダ／ライタ１がＲＦＩＤタグ２５の受信電力強度情報を得る場合の動作を示すフローチャートである。ＲＦＩＤリーダ／ライタ１がＲＦＩＤタグ２５の受信電力強度情報を得るときは、まず、ＲＦＩＤリーダ／ライタ１がＲＦＩＤタグ２５に対して受信電力強度確認コマンドを送信する（ステップＳ５−１）。
【００３７】
ＲＦＩＤタグ２５がＲＦＩＤリーダ／ライタ１からの受信電力強度確認コマンドを受信すると（ステップＳ５−２）、信号処理回路２７内のコントローラ２２が制御信号ＣＬをＬレベルからＨレベルに変化させる（ステップＳ５−３）。この結果、ＮＭＯＳトランジスタ１５がＯＮとなり、電源電圧ＶＤＤによるキャパシタ１６の充電が開始され、電源電圧ＶＤＤが低下し（ステップＳ５−４）、これにより、アンテナ８の両端間電圧Ｖ８が低下する（ステップＳ５−５）。
【００３８】
復調回路１３は、このアンテナ８の両端間電圧Ｖ８の低下をセンスし、復調信号をＬレベルとする（ステップＳ５−６）。信号処理回路２７内のカウンタ２８は、この復調信号のＬレベル幅をカウントし、カウント値を受信電力強度確認コマンドに対する返信信号として変調回路１９に伝送する（ステップＳ５−７）。
【００３９】
この結果、カウンタ２８のカウント値は、変調回路１９及びアンテナ８を介してＲＦＩＤリーダ／ライタ１に送信され（ステップＳ５−８）、ＲＦＩＤリーダ／ライタ１は、ＲＦＩＤタグ２５の受信電力強度を定量的に観測することができる。
【００４０】
図６はＲＦＩＤタグ２５の動作を示す波形図である。（Ａ）はＲＦＩＤタグ２５がＲＦＩＤリーダ／ライタ１の近くにある場合、（Ｂ）はＲＦＩＤタグ２５がＲＦＩＤリーダ／ライタ１の遠くにある場合であり、それぞれ、アンテナ８の両端間電圧Ｖ８と、電源電圧ＶＤＤと、制御信号ＣＬと、復調信号とを示している。
【００４１】
図６は、ＲＦＩＤタグ２５が受信電力強度確認コマンドを受信し、制御信号ＣＬがＬレベルからＨレベルに変化し、ＮＭＯＳトランジスタ１５がＯＮとなり、キャパシタ１６の充電が開始され、電源電圧ＶＤＤが低下し、アンテナ８の両端間電圧Ｖ８が低下し、これにより、復調信号にＬレベルが発生する様子を示している。
【００４２】
ここで、ＲＦＩＤタグ２５がＲＦＩＤリーダ／ライタ１の近くにある場合には、アンテナ８の両端間電圧Ｖ８は大きくなり、受信電力は大きくなる。この結果、ＲＦＩＤタグ２５が受信電力強度確認コマンドを受信し、ＮＭＯＳトランジスタ１５がＯＮとなり、キャパシタ１６が充電される場合、キャパシタ１６の充電は短時間で完了し、電源電圧ＶＤＤが低下している期間は短く、復調信号がＬレベルとなる期間は短い。したがって、この場合には、カウンタ２８のカウント値は小さくなる。
【００４３】
これに対して、ＲＦＩＤタグ２５がＲＦＩＤリーダ／ライタ１の遠くにある場合、アンテナ８の両端間電圧Ｖ８は低くなり、受信電力は小さくなる。この結果、ＲＦＩＤタグ２５が受信電力強度確認コマンドを受信してＮＭＯＳトランジスタ１５がＯＮとなり、キャパシタ１６が充電される場合、キャパシタ１６の充電時間は長くなり、電源電圧ＶＤＤが低下している期間は長く、復調信号がＬレベルとなる期間は長い。したがって、この場合には、カウンタ２８のカウント値は大きくなる。
【００４４】
図７はＲＦＩＤリーダ／ライタ１とＲＦＩＤタグ２５との距離と、復調信号のＬレベル幅の長さとの関係を示しており、横軸にＲＦＩＤリーダ／ライタ１とＲＦＩＤタグ２５との距離、縦軸に受信電力強度確認コマンドに基づくアンテナ８の両端間電圧Ｖ８の低下による復調信号のＬレベル幅を取っている。
【００４５】
以上のように、本発明の集積回路装置の第２実施形態であるタグＩＣ２６を使用する本発明の無線通信装置の第２実施形態であるＲＦＩＤタグ２５においては、信号処理回路２７は、受信電力強度確認コマンドを受信したときは、ＮＭＯＳトランジスタ１５をＯＮとする。この結果、電源電圧ＶＤＤが低下し、これにより、アンテナ８の両端間電圧Ｖ８が低下する。
【００４６】
信号処理回路２７のカウンタ２８は、アンテナ８の両端間電圧Ｖ８の低下に対応して復調回路１３が出力する復調信号のＬレベル幅をカウントし、カウント値を返信信号として変調回路１９に出力する。カウンタ２８のカウント値は、ＲＦＩＤリーダ／ライタ１に送信されるので、ＲＦＩＤリーダ／ライタ１は、ＲＦＩＤタグ２５の受信電力強度を定量的に観測することができる。したがって、受信可能な距離やアンテナ角度などの調整を容易に行うことができる。
【００４７】
（第３実施形態）
図８は本発明の無線通信装置の第３実施形態を使用したＲＦＩＤシステムの構成図である。図８に示すＲＦＩＤシステムは、図１に示すＲＦＩＤタグ２とは構成の異なるＲＦＩＤタグ３１を使用し、その他については、図１に示すＲＦＩＤシステムと同様に構成したものである。ＲＦＩＤタグ３１は、本発明の無線通信装置の第３実施形態である。
【００４８】
ＲＦＩＤタグ３１は、図１に示すＲＦＩＤタグ２が搭載するタグＩＣ９と構成の異なるタグＩＣ３２を搭載し、その他については、図１に示すＲＦＩＤタグ２と同様に構成したものである。タグＩＣ３２は、本発明の集積回路装置の第３実施形態である。
【００４９】
タグＩＣ３２は、図１に示すタグＩＣ９が搭載する信号処理回路１８と構成の異なる信号処理回路３３を搭載し、その他については、図１に示すタグＩＣ９と同様に構成したものである。
【００５０】
信号処理回路３３は、図４に示す信号処理回路２７にメモリコントローラ３４を追加し、その他については、図４に示す信号処理回路２７と同様に構成したものである。本例では、カウンタ２８のカウント値（受信電力強度情報）は、メモリコントローラ３４によりメモリ１７に記憶される。そして、メモリコントローラ３４は、受信バッファ２０が受信電力強度情報読み出しコマンドを受信したときは、メモリ１７に記憶したカウンタ２８のカウント値を読み出して変調回路１９に伝送する。
【００５１】
図９はＲＦＩＤリーダ／ライタ１がＲＦＩＤタグ３１の受信電力強度情報を得る場合の動作を示すフローチャートである。ＲＦＩＤリーダ／ライタ１がＲＦＩＤタグ３１の受信電力強度情報を得るときは、まず、ＲＦＩＤリーダ／ライタ１がＲＦＩＤタグ３１に対して受信電力強度確認コマンドを送信する（ステップＳ９−１）。
【００５２】
ＲＦＩＤタグ３１がＲＦＩＤリーダ／ライタ１からの受信電力強度確認コマンドを受信すると（ステップＳ９−２）、信号処理回路３３内のコントローラ２２が制御信号ＣＬをＬレベルからＨレベルに変化させる（ステップＳ９−３）。この結果、ＮＭＯＳトランジスタ１５がＯＮとなり、電源電圧ＶＤＤによるキャパシタ１６の充電が開始され、電源電圧ＶＤＤが低下し（ステップＳ９−４）、これにより、アンテナ８の両端間電圧Ｖ８が低下する（ステップＳ９−５）。
【００５３】
復調回路１３は、このアンテナ８の両端間電圧Ｖ８の低下をセンスし、復調信号をＬレベルとする（ステップＳ９−６）。信号処理回路３３内のカウンタ２８は、この復調信号のＬレベル幅をカウントし、（ステップＳ９−７）、メモリコントローラ３４は、カウンタ２８のカウント値（受信電力強度情報）をメモリ１７に記憶する（ステップＳ９−８）。
【００５４】
本例では、例えば、ＲＦＩＤリーダ／ライタ１とＲＦＩＤタグ３１との距離を徐々に変化させながら、ＲＦＩＤリーダ／ライタ１から受信電力強度確認コマンドを送信し、カウンタ２８のカウント値をメモリ１７にストアする。
【００５５】
ＲＦＩＤリーダ／ライタ１は、受信電力強度情報を必要とするときは、受信電力強度情報読み出しコマンドを送信する（ステップＳ９−９）。ＲＦＩＤタグ３１は、受信電力強度情報読み出しコマンドを受信すると（ステップＳ９−１０）、メモリコントローラ３４がメモリ１７からカウンタ２８のカウント値を読み出して変調回路１９に伝送する（ステップＳ９−１１）。
【００５６】
この結果、カウンタ２８のカウント値は、変調回路１９及びアンテナ８を介してＲＦＩＤリーダ／ライタ１に送信され（ステップＳ９−１２）、ＲＦＩＤリーダ／ライタ１は、ＲＦＩＤタグ３１の受信電力強度を定量的に観測することができる。
【００５７】
以上のように、本発明の集積回路装置の第３実施形態であるタグＩＣ３２を使用する本発明の無線通信装置の第３実施形態であるＲＦＩＤタグ３１においては、信号処理回路３３は、受信電力強度確認コマンドを受信したときは、ＮＭＯＳトランジスタ１５をＯＮとする。この結果、電源電圧ＶＤＤが低下し、これにより、アンテナ８の両端間電圧Ｖ８が低下する。
【００５８】
信号処理回路３３のカウンタ２８は、アンテナ８の両端間電圧Ｖ８の低下に対応して復調回路１３が出力する復調信号のＬレベル幅をカウントし、メモリコントローラ３４は、カウンタ２８のカウント値をメモリ１７に記憶し、受信電力強度情報読み出しコマンドを受信したときは、メモリ１７に記憶したカウンタ２８のカウント値を返信信号として変調回路１９に出力する。カウンタ２８のカウント値は、ＲＦＩＤリーダ／ライタ１に送信されるので、ＲＦＩＤリーダ／ライタ１は、ＲＦＩＤタグ３１の受信電力強度を定量的に観測することができる。したがって、受信可能な距離やアンテナ角度などの調整を容易に行うことができる。
【図面の簡単な説明】
【００５９】
【図１】本発明の無線通信装置の第１実施形態を使用したＲＦＩＤシステムの構成図である。
【図２】図１に示すＲＦＩＤシステムにおいて、ＲＦＩＤリーダ／ライタがＲＦＩＤタグの受信電力強度情報を得る場合の動作を示すフローチャートである。
【図３】本発明の無線通信装置の第１実施形態であるＲＦＩＤタグの動作を示す波形図である。
【図４】本発明の無線通信装置の第２実施形態を使用したＲＦＩＤシステムの構成図である。
【図５】図４に示すＲＦＩＤシステムにおいて、ＲＦＩＤリーダ／ライタがＲＦＩＤタグの受信電力強度情報を得る場合の動作を示すフローチャートである。
【図６】本発明の無線通信装置の第２実施形態であるＲＦＩＤタグの動作を示す波形図である。
【図７】図４に示すＲＦＩＤシステムにおけるＲＦＩＤリーダ／ライタと本発明の無線通信装置の第２実施形態であるＲＦＩＤタグとの距離と、復調信号のＬレベル幅の長さとの関係を示す図である。
【図８】本発明の無線通信装置の第３実施形態を使用したＲＦＩＤシステムの構成図である。
【図９】図８に示すＲＦＩＤシステムにおいて、ＲＦＩＤリーダ／ライタがＲＦＩＤタグの受信電力強度情報を得る場合の動作を示すフローチャートである。
【符号の説明】
【００６０】
１…ＲＦＩＤリーダ／ライタ
２…ＲＦＩＤタグ（本発明の無線通信装置の第１実施形態）
３…アンテナ
４…信号処理回路
５…発振回路
６…変調回路
７…復調回路
８…アンテナ
９…タグＩＣ（本発明の集積回路装置の第１実施形態）
１０…整流回路
１１…キャパシタ
１２…シャントレギュレータ
１３…復調回路
１４…クロック抽出回路
１５…ＮＭＯＳトランジスタ
１６…キャパシタ
１７…メモリ
１８…信号処理回路
１９…変調回路
２０…受信バッファ
２１…コマンドデコーダ
２２…コントローラ
２５…ＲＦＩＤタグ（本発明の無線通信装置の第２実施形態）
２６…タグＩＣ（本発明の集積回路装置の第２実施形態）
２７…信号処理回路
２８…カウンタ
３１…ＲＦＩＤタグ（本発明の無線通信装置の第３実施形態）
３２…タグＩＣ（本発明の集積回路装置の第３実施形態）
３３…信号処理回路
３４…メモリコントローラ
【図１】
2010026756.tif 000003
【図２】
2010026756.tif 000004
【図３】
2010026756.tif 000005
【図４】
2010026756.tif 000006
【図５】
2010026756.tif 000007
【図６】
2010026756.tif 000008
【図７】
2010026756.tif 000009
【図８】
2010026756.tif 000010
【図９】
2010026756.tif 000011